(57)【要約】 【課題】雨天に傘をさす時、雨水が地面に落ちないようにし、また、持ち手を交換することで雨水が落ち続けることがなく、床や衣服を濡らすこともない雨水が内側に集まる傘を提供する。【課題の解決手段】  本発明の雨水が内側に集まる傘は、主軸、傘骨、内側傘布、外側傘布からなる。そのうち、主軸の上下両端には握り部分と先端バーがあって、持ち手が位置を交換して取り付けられるようになっている。このため、通常傘をさす時は、持ち手は握り部分に取り付けられていて、傘をさしたり、閉じたりするときに持ち手の位置を交換する。また、傘を閉じた時、内側の傘布に残っている雨水は内側の傘布を閉じた時に共に集められる。【選択図】図１
2006192099.tif 000002
【特許請求の範囲】
【請求項１】
主軸、傘骨、内側傘布、外側傘布からなり、その主軸には蜂の巣型ランナーユニットがあって、その蜂の巣型ランナーユニットには第一蜂の巣型の槽と第二蜂の巣型の槽がある、二つの蜂の巣型の槽を持つ構造になっていて、主軸両端にはそれぞれ握り部分及び先端バーがあって、握り部分及び先端バーには固定穴があり、持ち手を実際の使用状況に応じて握り部分か先端バーに位置を選択できるようになっていて、
傘骨は、その内側ストレッチャーが第一蜂の巣型の槽に、連結ストレッチャーが第二蜂の巣型の槽に結合していて、内側ストレッチャー及び連結ストレッチャーは、放射状に、第一蜂の巣型の槽及び第二蜂の巣型の槽に取り付けられていて、さらに、内側ストレッチャー先端を介して主軸の先端バーの下方に外折ストレッチャーが固定されていて、この外折ストレッチャーのほぼ中間の位置にある折れ曲がり部分には、移動ストレッチャーが接続されていて、
内側傘布は傘骨の内側ストレッチャーに取り付けられて、
外側傘布は外折ストレッチャーに取り付けられて、
主軸上下両端の握り部分及び先端バーが持ち手が位置を交換して取り付けることができるようになっているため、通常傘をさす時は、持ち手は握り部分の位置に取り付けられているが、雨天に使用する時は、雨水を集めて下に落ちるのを防ぐために、持ち手の位置を先端バーの位置に交換することにより、傘を閉じた時に雨水を共に集中させることができるという特長を持つ、雨水が内側に集まる傘。
【発明の詳細な説明】
【技術分野】
【０００１】
本発明は雨水が内側に集まる傘に関する。本発明の雨水が内側に集まる傘は、傘布が二重になっていて、その傘布が二重になっていることにより、断熱効果が生まれる外、雨天に使用した時、傘布上の雨水が集まりたまることで、傘を畳んだ時に雨水が落ちることがない。
【背景技術】
【０００２】
一般に使用される傘は、折り畳み式と長傘がある。その使用目的は、日よけあるいは雨に濡れるのを避けるためである。通常、雨天に傘をさすと、傘布の表面が濡れるため、傘を畳んだ際、雨水が傘布をつたって地面に落ちる。濡れた傘を室内に持って入ると、室内の床が濡れて汚れるという欠点がある。
また、公共の場所には通常濡れた傘を入れるためのビニール袋が用意されているものの、雨水が床に落ちて床が濡れることは避けられない。時には、濡れた床が滑って転んでけがをすることも考えられる。しかしながら、このようなビニール袋も全ての場所に置かれているとは限らず、何より多くのビニール袋を使用することは環境保護の観念から外れていると言える。
【発明の開示】
【発明が解決しようとする課題】
【０００３】
本発明は、上記従来の問題点を解決することができる雨水が内側に集まる傘を提供することを課題とする。
【課題を解決するための手段】
【０００４】
本発明の雨水が内側に集まる傘は、主軸、傘骨、内側傘布、外側傘布からなる。そのうち、主軸の上下両端には握り部分と先端バーがあって、持ち手が位置を交換して取り付けられるようになっている。このため、通常傘をさす時は、持ち手は握り部分に取り付けられていて、傘をさしたり、閉じたりするときに持ち手の位置を交換することで、雨天に傘をさす時、雨水が地面に落ちないようにする。傘を閉じた時、内側の傘布に残っている雨水は内側の傘布を閉じた時に共に集められる。この時、持ち手を交換することで雨水が落ち続けることがなく、床や衣服を濡らすこともない。
【発明の効果】
【０００５】
本発明の雨水が内側に集まる傘は、内外の傘布の二重の傘布構造によって、内側に雨水が集まるようになっている。二重の傘布の間には隙間があって、二重の日よけ効果がある。また、内外の傘布の間の隙間が放熱効果をもたらし、傘をさした時に涼しく感じるという特長がある。
また、本発明の雨水が内側に集まる傘は、持ち手を交換できる構造になっている。傘をさしたり、傘を閉じたりする際に持ち手の位置を交換することで、雨天に傘をさす時、雨水が地面に落ちないようにする。傘を閉じた時、内側の傘布に残っている雨水は内側の傘布を閉じた時に共に集められる。この時、持ち手を交換することで雨水が落ち続けることがなく、床や衣服を濡らすこともないという特長がある。
【発明を実施するための最良の形態】
【０００６】
図１から図３を参照いただきたい。本発明の雨水が内側に集まる傘は、主軸１、傘骨２、内側傘布３、外側傘布４からなる。そのうち、主軸１には蜂の巣型ランナーユニット１１があって、その蜂の巣型ランナーユニット１１には第一蜂の巣型の槽１１１と第二蜂の巣型の槽１１２がある。これらの二つの蜂の巣型の槽には、傘骨２が取り付けられていて、傘骨２が内側傘布３及び外側傘布４を取り付けるようになっている。
【０００７】
図４及び図５を参照いただきたい。上述の主軸１両端にはそれぞれ握り部分１４及び先端バー１５があって、握り部分１４及び先端バー１５にはいずれも固定穴１４１、１５１がある。そして、握り部分１４及び先端バー１５は持ち手１６が実際の使用状況に応じて握り部分１４か先端バー１５に位置を選択できるようになっている。このため、握り部分１４及び先端バー１５には、持ち手１６の固定槽１６１に結合するための固定穴１４１、１５１がある。蜂の巣型ランナーユニット１１の、第一蜂の巣型の槽１１１及び第二蜂の巣型の槽１１２は、傘骨２が取り付けられるようになっている。そのうち、内側ストレッチャー２１は第一蜂の巣型の槽１１１に、連結ストレッチャー２２は第二蜂の巣型の槽１１２に結合している。内側ストレッチャー２１及び連結ストレッチャー２２は、放射状に、第一蜂の巣型の槽１１１及び第二蜂の巣型の槽１１２に取り付けられている。さらに、内側ストレッチャー２１先端を介して主軸１の先端バー１５の下方に外折ストレッチャー２３が固定されている。この外折ストレッチャー２３のほぼ中間の位置にある折れ曲がり部分には、移動ストレッチャー２４が接続されていて、傘をさして広げた時に外折ストレッチャー２３を押し広げる。
【０００８】
さらに、図５及び図６を参照いただきたい。上述の移動ストレッチャー２４上端は、外折ストレッチャー２３に軸接続している。末端は内側ストレッチャー２１との間にスライドする状態で設置されている。したがって、蜂の巣型ランナーユニット１１が上にスライドすると、第一蜂の巣型の槽１１１及び第二蜂の巣型の槽１１２に取り付けられた傘骨２が広げられる。内側ストレッチャー２１及び連結ストレッチャー２２が、外折ストレッチャー２３を広げ、同時に移動ストレッチャー２４もまた内側ストレッチャー２１及び外折ストレッチャー２３の間で連結して支える。移動ストレッチャー２４は内側ストレッチャー２１との間に何ら固定する構造がないため、移動ストレッチャー２４と連結ストレッチャー２２の間はスプリング２５によって連結していて、移動ストレッチャー２４が弾力性をもって支える作用がある。また、傘骨２の内側ストレッチャー２１は内側傘布３と結合していて、外折ストレッチャー２３は外側傘布４と結合している。蜂の巣型ランナーユニット１１が傘骨２を押し開いた時、同時に内側傘布３及び外側傘布４も開く。
【０００９】
上述の内側傘布３及び外側傘布４は、内側ストレッチャー２１及び外折ストレッチャー２３の連結支点で固定されている。その他の部分では、内側傘布３と外側傘布４の間には隙間が存在する。このため、日傘として使用する時、日よけ効果と共に、隙間が放熱効果をもたらす。
【００１０】
図４、図５及び図７を参照いただきたい。雨天に傘をさした時、通常傘を閉じた後、雨水は傘の布を伝って落ちるため、床が濡れることになる。そこで、本発明の雨水が内側に集まる傘では、主軸１の上下両端の握り部分１４と先端バー１５に固定穴１４１、１５１があって、持ち手１６が位置を交換して取り付けられるようになっている。通常傘をさす時は、持ち手１６は先端バー１５の位置に取り付けられている。傘を閉じると、雨水５を集めるために、持ち手１６の位置を交換する必要がある。持ち手１６を先端バー１５の位置に取り付け、固定槽１６１と固定穴１５１を合わせて固定する。持ち手１６は先端バー１５に取り付けられた後、外側傘布４が外折ストレッチャー２３の折り曲げる力を受けてＶ字型に折り曲げられる。したがって、もともと外側傘布４上にある雨水５を集めることができる。そして、これらの雨水５は直接外側傘布４の中に集まって、雨水５が床を濡らすことがない。
【図面の簡単な説明】
【００１１】
【図１】本発明の雨水が内側に集まる傘の閉じた時の状態を示した見取り図である。
【図２】本発明の雨水が内側に集まる傘の断面図である。
【図３】本発明の雨水が内側に集まる傘の持ち手を交換した状態を示した図である。
【図４】本発明の雨水が内側に集まる傘の持ち手を取り付けた状態を示した図である。
【図５】本発明の雨水が内側に集まる傘を開いた状態を示した図である。
【図６】本発明の雨水が内側に集まる傘の傘骨の部分拡大立体図である。
【図７】本発明の雨水が内側に集まる傘の、雨水が傘布の中に集まる様子を示した図である。
【符号の説明】
【００１２】
１        主軸
１１      蜂の巣型ランナーユニット
１１１    第一蜂の巣型の槽
１１２    第二蜂の巣型の槽
１３      ボタンスプリング
１４      握り部分
１４１    固定穴
１５      先端バー
１５１    固定穴
１６      持ち手
１６１    固定槽
２        傘骨
２１      内側ストレッチャー
２２      連結ストレッチャー
２３      外折ストレッチャー
２４      移動ストレッチャー
２５      スプリング
３        内側傘布
４        外側傘布
５        雨水
【図１】
2006192099.tif 000003
【図２】
2006192099.tif 000004
【図３】
2006192099.tif 000005
【図４】
2006192099.tif 000006
【図５】
2006192099.tif 000007
【図６】
2006192099.tif 000008
【図７】
2006192099.tif 000009